(57)【特許請求の範囲】
【請求項１】
キッチンのシンクが設置されるキャビネットであって、
このキャビネットは、下段引き出し収納部と中段引き出し収納部とシンク幕板部とを上下方向に重ねて配置し、
少なくとも前記中段引き出し収納部は、引き出し前板の前面を所定の収納位置より後方に押し込むことによって押出し機構が作動して、この押出し機構により前方に押出し開放される構成を有しており、
前記中段引き出し収納部の前記引き出し前板の前面を、前記所定の収納位置において前記シンク幕板部の最前面より後方にシフトさせていることを特徴とするキャビネット。
【請求項２】
請求項１に記載のキャビネットであって、
前記中段引き出し収納部は、前記引き出し前板に取付けられた把手の最前面を、前記シンク幕板部の前記最前面と同一面または所定寸法だけ後方にシフトさせていることを特徴とするキャビネット。
【発明の詳細な説明】
【技術分野】
【０００１】
本発明は、キャビネットに設けられた複数の引き出し収納部のうち所定の引き出し収納部は、ユーザが後方に押し込むことによって押出し機構が作動して、この押出し機構により前方に押出し開放されるようにしたキッチンのキャビネットに関する。
【背景技術】
【０００２】
システムキッチンなどキッチンには、そのキャビネットに複数の引き出し収納部が引き出し収納自在に設けられ、複数の引き出し収納部のうち所定の引き出し収納部は、ユーザが所定の収納位置より後方に押し込むことによって押出し機構が作動して、この押出し機構により前方に押出されるようにしたキッチンが知られている（特許文献１（特開２００９−５０３２５号公報））。
【０００３】
図７ないし図９は、特許文献１に記載の技術などが適用された従来技術を示す図である。図７は、従来のシステムキッチンの側面図、図８は、従来のシステムキッチンの使用状態を示す部分側面図、図９は、中段引き出し収納部が前方に押出された状態の側面図である。
図７ないし図９に示すように、システムキッチン１０１は、キャビネット１０２に複数の引き出し収納部１０３，１０４，１０５が引き出し収納自在に設けられている。複数の引き出し収納部１０３，１０４，１０５のうち所定の引き出し収納部１０３は、ユーザＭが所定の収納位置Ｐ1（たとえば、引き出し前板の前面の位置Ｐ1）より後方に押し込むことによって押出し機構１０６が作動して、押出し機構１０６により前方に押出される。
【先行技術文献】
【特許文献】
【０００４】
【特許文献１】特開２００９−５０３２５号公報
【発明の概要】
【発明が解決しようとする課題】
【０００５】
システムキッチン１０１では、天板１０７の下の引き出し収納部１０４と、その下の所定の引き出し収納部１０３は、ほぼ面一になっている場合が多い。しかも、この所定の引き出し収納部１０３は、ちょうどユーザＭの膝Ｍ1の高さ位置に配置されている。
その結果、ユーザＭがシステムキッチン１０１の前方に立って作業しているとき、ユーザＭが意図しないのに所定の引き出し収納部１０３に膝Ｍ1が接触して、所定の引き出し収納部１０３を矢印Ｂに示すように後方に押し込んでしまうことがある。
【０００６】
すると、この押し込まれた所定の引き出し１０３の押出し機構１０６が作動して、この引き出し収納部１０３を、矢印Ｂ1に示すように、ユーザＭの意図に反して前方に押出して、ユーザＭに不快感を与えることになる。
その結果、ユーザＭは、この押出された引き出し収納部１０３を膝Ｍ1や手で押し込んで、この引き出し収納部１０３を所定の収納位置Ｐ1に収納しなければならず、この操作がユーザＭにとって面倒であった。
【０００７】
そこで、引き出し収納部１０３が、ユーザＭの意図に反して前方に押出されないようにするための対策として、この引き出し収納部１０３の引き出し前板１０９や把手１１０の厚みを薄くすることにより、引き出し収納部１０３の前方部分を若干後方に引っ込ませることも考えられる。
こうすれば、ユーザＭの膝Ｍ1が引き出し収納部１０３に接触して、引き出し収納部１０３が少し押し込まれても、押出し機構１０６が作動しないので、引き出し収納部１０３が押出し機構１０６により前方に押されて飛び出ることはない。
ところが、この場合には、引き出し収納部１０３を特殊な構造に設計変更する必要があり、構成部材の共通化ができなくなって、製造効率が低下する恐れがあり、また、薄くなった引き出し前板１０９や把手１１０の強度が低下する恐れがある。
【０００８】
本発明は、このような課題を解決するためになされたもので、押出し機構により押出し可能な引き出し収納部が、所定の収納位置より後方に押し込まれることによって押出し機構が作動して、この押出し機構により引き出し収納部を前方に押出すようにしたキッチンのキャビネットにおいて、ユーザが意図しないときに、中段引き出し収納部の引き出し前板に身体の部位が接触しても押出し機構の作動を防止してこの中段引き出し収納部が押出し機構により前方に押出し開放されてしまうことがなく、且つ中段引き出し収納部を特殊な構造に設計変更する必要のないキャビネットを提供することを目的とする。
【課題を解決するための手段】
【０００９】
上述の目的を達成するため、本発明は、キッチンのシンクが設置されるキャビネットであって、このキャビネットは、下段引き出し収納部と中段引き出し収納部とシンク幕板部とを上下方向に重ねて配置し、少なくとも前記中段引き出し収納部は、引き出し前板の前面を所定の収納位置より後方に押し込むことによって押出し機構が作動して、この押出し機構により前方に押出し開放される構成を有しており、前記中段引き出し収納部の前記引き出し前板の前面を、前記所定の収納位置において前記シンク幕板部の最前面より後方にシフト（後退）させている。
前記中段引き出し収納部は、前記引き出し前板に取付けられた把手の最前面を、前記シンク幕板部の前記最前面と同一面または所定寸法だけ後方にシフトさせているのが好ましい。
【００１０】
本実施態様のキッチンは、キャビネットに複数の引き出し収納部が引き出し収納自在に設けられたキッチンであって、これら複数の引き出し収納部のうち所定の引き出し収納部は、この所定の引き出し収納部の最前端面を、上方に隣接する他の前記引き出し収納部またはシンク幕板部の各最前端面より所定寸法だけ後方に積極的にシフトさせた引き出し収納部である。
前記引き出し収納部の引き出し前板に取付けられた把手の前面を、上方に隣接する前記他の引き出し収納部の引き出し前板に取付けられた把手の前面または前記シンク幕板部の前記最前端面より前記所定寸法だけ後方に積極的にシフトさせるのが好ましい。
前記複数の引き出し収納部のうち少なくとも前記引き出し収納部は、ユーザがこの引き出し収納部を所定の収納位置より後方に押し込むことによって押出し機構が作動して、この押出し機構により前方に押出される構成を有しており、この押出し機構により押出し可能な前記引き出し収納部は、前記所定の収納位置に収納されている状態のときに、前記ユーザの身体の部位が接触しても前記押出し機構が作動しない後方の位置にシフトして設けられている。
前記キャビネットは、前記複数の引き出し収納部を支持するためのケーシングを有し、
前記ユーザが意図しないときに前記身体の部位が前記引き出し収納部を押し込まないように、前記ケーシングに段部を形成することにより、前記引き出し収納部を、前記所定寸法だけ後方に積極的にシフトした前記所定の収納位置に収納するように構成するのが好ましい。
前記引き出し収納部を、シンクの前方に設けられた前記シンク幕板部の下方に隣接して配置している。
【００１１】
また、本実施態様のキッチンは、キャビネットに複数の引き出し収納部が引き出し収納自在に設けられ、これら複数の引き出し収納部のうち所定の引き出し収納部は、ユーザが所定の収納位置より後方に押し込むことによって押出し機構が作動して、この押出し機構により前方に押出されるようにしたキッチンである。前記押出し機構により押出し可能な少なくとも一つの前記所定の引き出し収納部は、前記所定の収納位置に収納されている状態のときに、前記ユーザの身体の部位が接触しても前記押出し機構が作動しない後方の位置に若干シフトして設けられている。
前記キャビネットは、前記引き出し収納部を支持するためのケーシングを有し、前記ユーザが意図しないときに前記身体の部位が前記引き出し収納部を押し込まないように、前記ケーシングに段部を形成することにより、前記所定の引き出し収納部を、所定寸法だけ後方に積極的にシフトした前記所定の収納位置に収納するように構成するのが好ましい。
また、前記所定の引き出し収納部の最前端面を、その収納状態で前記キャビネットの天板の前端面より所定寸法だけ後方に積極的にシフトさせるのが好ましい。
前記押出し機構により押出し可能な前記所定の引き出し収納部を、少なくともシンクの下方に配置している。
【発明の効果】
【００１２】
本発明にかかるキャビネットは、上述のように構成したので、ユーザが意図しないときに、中段引き出し収納部の引き出し前板に身体の部位が接触しても押出し機構の作動を防止してこの中段引き出し収納部が押出し機構により前方に押出されてしまうことがなく、且つ中段引き出し収納部を特殊な構造に設計変更する必要がない。
【図面の簡単な説明】
【００１３】
【図１】図１ないし図６は本発明の一実施例を示す図で、図１はシステムキッチンの斜視図である。
【図２】図１のII−II線断面図である。
【図３】図１のIII−III線断面図である。
【図４】システムキッチンの使用状態を示す部分側面図である。
【図５】中段引き出し収納部が前方に押出されない状態のシステムキッチンの側面図である。
【図６】本実施例の変形例にかかるシステムキッチンの部分側面図で、図４相当図である。
【図７】図７ないし図９は従来技術を示す図で、図７は従来のシステムキッチンの側面図である。
【図８】従来のシステムキッチンの使用状態を示す部分側面図で、図４相当図である。
【図９】中段引き出し収納部が前方に押出された状態のシステムキッチンの側面図で、図５相当図である。
【発明を実施するための形態】
【００１４】
本発明において、キッチンのシンクが設置されるキャビネットは、下段引き出し収納部と中段引き出し収納部とシンク幕板部とを上下方向に重ねて配置し、少なくとも中段引き出し収納部は、引き出し前板の前面を所定の収納位置より後方に押し込むことによって押出し機構が作動して、この押出し機構により前方に押出し開放される構成を有しており、中段引き出し収納部の引き出し前板の前面を、所定の収納位置においてシンク幕板部の最前面より後方にシフトさせている。
これにより、ユーザが意図しないときに、中段引き出し収納部の引き出し前板に身体の部位が接触してもこの中段引き出し収納部が押出し機構により前方に押出されてしまうことがなく、且つ中段引き出し収納部を特殊な構造に設計変更する必要がないという目的が実現される。
【００１５】
本発明におけるキャビネットを有するキッチンとしては、台所に設置される複合厨房家具の一種であるシステムキッチンが一般的であるが、セクショナルキッチンや台所の流し台であってもよい。下記の実施例では、システムキッチンを例にとって説明する。
【実施例】
【００１６】
以下、本発明にかかる一実施例を、図１ないし図６を参照して説明する。
図１はシステムキッチンの斜視図、図２は図１のII−II線断面図、図３は図１のIII−III線断面図、図４は、システムキッチンの使用状態を示す部分側面図、図５は、中段引き出し収納部が前方に押出されない状態のシステムキッチンの側面図である。
なお、説明の便宜上、各図中の矢印Ｄ1，Ｄ2，Ｄ3，Ｄ4で示す各方向を、それぞれシステムキッチンの左方，右方，前方，後方とする。
【００１７】
図１に示すように、キッチンとしてのシステムキッチン１は、全体的に左右方向に延びた所定の形状（ここでは、矩形状）をなして、台所やダイニングルームに設置されている。システムキッチン１は、左右方向に延びた矩形状のキャビネット２と、キャビネット２の上部を覆って取付けられた天板３とを有している。天板３の上面がワークトップになっている。
キャビネット２は床面上に設置されている。キャビネット２は、コンロキャビネット４，一方の調理台キャビネット５，シンクキャビネット６および他方の調理台キャビネット７などが順次並設された構成であり、ワークトップを構成する天板３が、キャビネット４，５，６，７の上部を覆って取付けられている。キャビネット２には、各種の形状，構造の複数の引き出し収納部が、引き出し収納自在に設けられている。
【００１８】
コンロキャビネット４には、グリル２２を有するコンロ８と、中段引き出し収納部２０と、下段引き出し収納部２１とが設けられている。一方の調理台キャビネット５には、上段引き出し収納部９と中段引き出し収納部１０と下段引き出し収納部１１とが設けられている。
シンクキャビネット６の上部のワークトップには、水栓装置１２やシンク１３が設けられている。シンクキャビネット６は、水栓装置１２とシンク１３の他に、引き出し収納部１４，１５を有しており、シンク１３の前方にはシンク幕板部１６が設けられている。
すなわち、システムキッチン１のシンク１３が設置されるキャビネットとしてのシンクキャビネット６は、下段引き出し収納部１５と中段引き出し収納部１４とシンク幕板部１６とを上下方向に重ねて配置している。
他方の調理台キャビネット７は、ビルトインにより設けられた食器洗い乾燥機１７と、上段引き出し収納部１８と、下段引き出し収納部１９とを有している。一方の調理台キャビネット５および他方の調理台キャビネット７の上部の各ワークトップは、それぞれ調理台になっている。
各引き出し収納部９，１０，１１，１４，１５，１８，１９，２０，２１は、所定の収納位置にそれぞれ収納される。こうして、システムキッチン１は、コンロキャビネット４，一方の調理台キャビネット５，シンクキャビネット６および他方の調理台キャビネット７が複合した複合厨房家具を構成している。
【００１９】
図１ないし図５に示すように、システムキッチン１において、複数の引き出し収納部のうち所定の引き出し収納部は、ユーザＭが所定の収納位置Ｐ1（たとえば、引き出し前板３５の前面３８の位置Ｐ1）より後方に押し込むことによって押出し機構３０が作動して、この押出し機構３０により前方に押出し開放されるようになっている。
押出し機構で押出し可能な所定の引き出し収納部は、キッチンに少なくとも一つ設けられている。本実施例のシステムキッチン１では、すべての引き出し収納部９，１０，１１，１４，１５，１８，１９，２０，２１が、押出し機構３０によりそれぞれ押出し開放可能である。
すなわち、本発明では、少なくともシンクキャビネット６の中段引き出し収納部１４は、引き出し前板３５の前面３８を所定の収納位置Ｐ1より後方に押し込むことによって押出し機構３０が作動して、この押出し機構３０により前方に押出し開放される構成を有している。
【００２０】
システムキッチン１は、押出し機構３０を設けることにより、各引き出し収納部９，１０，１１，１４，１５，１８，１９，２０，２１において、その引き出し前板３５の前面３８または把手３６を少し奥に押すだけで、各引き出し収納部を自動的に前方に押出すいわゆるプッシュオープン式のシステムキッチンになっている。
押出し機構３０には、ばねとラッチを用いた機械式の装置を用いることもあるが、本実施例ではモータを有する電動式の装置を用いている。電動式の押出し機構３０は、押し込み量や押出し速度を自由に設定することができるので、機械式の装置よりも所望の動作を容易に得ることができる。
押出し機構３０が設けられたプッシュオープン式のシステムキッチン１では、引き出し収納部を手や手以外の身体の部位（たとえば、膝）で押せば、押出し機構３０が作動してこの押出し機構３０により引き出し収納部を容易に前方に押出し開放することができ、調理の効率を向上させることができる。
このように、システムキッチン１に押出し機構３０を設けることにより、各引き出し収納部の引き出し動作と収納動作とをワンアクションで行うことができ、この開閉動作をユーザＭが、膝などを使って行うことができる。これにより、より快適でスピーディーなキッチンワークを実現することができる。
【００２１】
本発明では、シンクキャビネット６の中段引き出し収納部１４の引き出し前板３５の前面３８を、所定の収納位置Ｐ1においてシンク幕板部１６の最前面より後方にシフト（後退）させている。すなわち、中段引き出し収納部１４の引き出し前板３５の前面３８の位置Ｐ1が、シンク幕板部１６の最前面の位置Ｐ2より後方にシフトしている。
押出し機構３０により押出し可能な所定の引き出し収納部９，１０，１１，１４，１５，１８，１９，２０，２１のうち、少なくとも一つの所定の引き出し収納部（本実施例では、シンクキャビネット６の中段引き出し収納部１４と、一方の調理台キャビネット５の中段引き出し収納部１０）は、所定の収納位置Ｐ1に収納されている状態のときに、ユーザＭの身体の部位が接触しても押出し機構３０が作動しない後方の位置に若干シフトして設けられている。
中段引き出し収納部１４，１０は、ユーザＭがシステムキッチン１の前方に立っているときのちょうど膝の高さ位置に配置されている。そこで、ユーザＭの「身体の部位」としては、たとえば足であり特に膝の場合が多いので、以下、膝を例にとって説明する。
【００２２】
シンクキャビネット６の中段引き出し収納部１４の位置Ｐ1は、その上方に位置するシンク幕板部１６の位置Ｐ2に対して後方の位置に若干シフトして設けられている。これと同様に、一方の調理台キャビネット５の中段引き出し収納部１０の位置Ｐ1は、その上方に隣接する引き出し収納部９の位置Ｐ2に対して、後方の位置に若干シフトして設けられている。本実施例の中段引き出し収納部１４，１０は二つであるが、これ以外の中段の引き出し収納部を設けてもよい。
このように、押出し機構３０により押出し可能な中段引き出し収納部１４，１０は、ユーザＭが所定の収納位置Ｐ1より後方に押し込むことによって、押出し機構３０により前方に押されて飛び出る。
【００２３】
中段引き出し収納部１４，１０の収納状態での配置位置は、その周囲より後方の位置に若干シフトしている。したがって、ユーザＭがシステムキッチン１の前方に立って作業しているときに、膝は中段引き出し収納部１４，１０に接触しないか、または、膝が中段引き出し収納部１４，１０の引き出し前板３５や引き出し前板３５に取付けられた把手３６に接触しても、押出し機構３０が作動するほど、中段引き出し収納部１４，１０を後方に押し込むことはない。
すなわち、ユーザＭが、中段引き出し収納部１４，１０を前方に押出そうと意図していないときに、中段引き出し収納部１４，１０に膝が接触して、中段引き出し収納部１４，１０の引き出し前板３５が若干後方に押し込まれても、押出し機構３０が作動するほどではないので、押出し機構３０により中段引き出し収納部１４，１０が前方に押出されてしまうことはない。
その結果、ユーザＭは、前方に押出されてしまった中段引き出し収納部１４，１０を、膝や手で押し込んでこの中段引き出し収納部１４，１０を元の所定の収納位置Ｐ1に収納するといった従来の面倒な操作は不要になり、ユーザＭに負担が掛からない。
また、システムキッチン１では、引き出し前板３５や把手３６の厚みを薄くすることにより中段引き出し収納部１４，１０の前方部分を若干後方に位置させるといった特殊な構造に中段引き出し収納部１４，１０を設計変更する必要がない。システムキッチン１では、このように引き出し前板３５や把手３６は、厚みを薄くしなくてもよいので所定の強度を確保することができる。
【００２４】
中段引き出し収納部１４，１０の最前端面は、引き出し前板３５の前面３８、または引き出し前板３５に取付けられた把手３６の最前面３７である。その結果、ユーザＭの意図に反して膝などが、引き出し前板３５の前面３８または把手３６の最前面３７に接触して、中段引き出し収納部１４，１０を後方に押し込む可能性が最も高い。
そこで、本実施例では、シンクキャビネット６の中段引き出し収納部１４が所定の収納位置Ｐ1に収納されている状態で、中段引き出し収納部１４の最前端面（ここでは、引き出し前板３５の前面３８、または把手３６の最前面３７）を、中段引き出し収納部１４の上部に隣接するシンク幕板部１６の最前面より所定寸法ｄだけ後方にシフトさせている。
また、一方の調理台キャビネット５の中段引き出し収納部１０が収納位置Ｐ1に収納されている状態で、中段引き出し収納部１０の最前端面（ここでは、引き出し前板３５の前面３８、または把手３６の最前面３７で、符号Ｐ1で示す位置）を、中段引き出し収納部１０の上部に隣接する上段引き出し収納部９の最前面（ここでは、引き出し前板の前面、または把手の最前面で、符号Ｐ2で示す位置）より所定寸法ｄだけ後方にシフトさせている。
【００２５】
したがって、図４，図５に示すように、ユーザＭが天板３の前端面３９に身体を押し当てながら、この前端面３９を支点にして後方に手を伸ばして作業を行うような場合でも、中段引き出し収納部１４，１０の最前端面（引き出し前板３５の前面３８、または把手３６の最前面３７）が、シンク幕板部１６または上段引き出し収納部９の最前面より所定寸法ｄだけ後方にシフトしているので、膝などが中段引き出し収納部１４，１０に接触しても押出し機構３０を作動させるほど中段引き出し収納部１４，１０を後方に押し込む恐れがなくなる。
その結果、押出し機構３０はユーザＭの意図に反して作動することはないので、中段引き出し収納部１４，１０が、ユーザＭの意図に反して押出し機構３０により前方に押されて飛び出ることはない。
【００２６】
キャビネット２は、引き出し収納部９，１０，１１，１４，１５，１８，１９，２０，２１を支持するためのケーシング２９，３１，３２，３４を有している。
ケーシング２９はキャビネット２の左側板である。ケーシング３１は、コンロキャビネット４と一方の調理台キャビネット５との間の仕切り板、ケーシング３２は、一方の調理台キャビネット５とシンクキャビネット６との間の仕切り板、およびシンクキャビネット６と他方の調理台キャビネット７との間の仕切り板である。ケーシング３４はキャビネット２の右側板である。
【００２７】
ケーシング２９，３１，３２，３４には、それぞれ側面視で段部３３が形成されている。この段部３３により、中段引き出し収納部１４，１０を、所定寸法ｄだけ後方に積極的にシフトした所定の収納位置Ｐ1に収納するようにしている。
これにより、ユーザＭが意図しないときに、中段引き出し収納部１４，１０に膝が接触しても押出し機構３０を作動させるほど中段引き出し収納部１４，１０を後方に押し込むことはなくなる。
このように、ケーシング３１，３２に段部３３を形成し、中段引き出し収納部１４，１０を所定寸法ｄだけ後方にシフトさせて配置している。その結果、中段引き出し収納部１４，１０自体を特殊な構造にするための設計変更は不要であり、汎用の引き出し収納部を使用することができる。
中段引き出し収納部１４，１０と同じ高さ位置に食器洗い乾燥機１７が配置されている。そこで、食器洗い乾燥機１７を支持するケーシング３２，３４にも、側面視で段部３３が形成されている。
そして、食器洗い乾燥機１７も、中段引き出し収納部１４，１０と同じように、所定寸法ｄだけ後方に積極的にシフトさせている。したがって、食器洗い乾燥機１７と中段引き出し収納部１４との間で段差ができないので、外観上好ましい。
【００２８】
このように、ケーシング２９，３１，３２，３４にそれぞれ段部３３を形成して、中段引き出し収納部１４，１０，２０と食器洗い乾燥機１７を、所定寸法ｄだけ後方に積極的にシフトさせている。
しかし、所定寸法ｄは小さいので、中段引き出し収納部１４，１０，２０と食器洗い乾燥機１７は、周囲と比較してそれほど後方に引っ込んでいるようには見えず、システムキッチン１に関して外観的に違和感はない。
【００２９】
シンクキャビネット６において、シンク１３の後方（または、横方向）には、水栓装置１２が取付けられている。シンク１３の後方のワークトップには、洗剤４０やその他の洗浄用品が置かれている場合があり、シンク１３の後方上部には建物の窓が配置されていることもある。
ユーザＭは、シンク１３の前方に立って、手を伸ばして水栓装置１２を操作したり、洗剤４０やその他の洗浄用品をシンク１３の後方のワークトップから持ち上げたり元の位置に戻したりすることが多い（図４，図５参照）。シンク１３の後方上部に窓がある場合には、ユーザＭが手を伸ばして窓を開閉することもある。
【００３０】
このように、ユーザＭはシンク１３の前方で作業をすることが多いので、押出し機構３０により押出し可能な中段引き出し収納部を、少なくともシンク１３の下方に配置するのが好ましい。本実施例では、シンク１３の下方に中段引き出し収納部１４を配置している。
ユーザＭが、シンク１３の後方の水栓装置１２や洗剤４０またはその後方の窓に手を伸ばしたとき、天板３の前端面３９が支点になってユーザＭの身体を支える。シンク１３の下方には中段引き出し収納部１４が配置されているので、ユーザＭの意図に反して膝が中段引き出し収納部１４の引き出し前板３５や把手３６に接触しても、押出し機構３０を作動させるほど中段引き出し収納部１４を後方に押し込む恐れはない。
したがって、ユーザＭが意図しないときに、膝が中段引き出し収納部１４の引き出し前板３５に接触すると、中段引き出し収納部１４は、収納位置Ｐ1より若干後方に押されて移動するが、押出し機構３０を作動させるほど後方に押し込まれることはない。よって、押出し機構３０は作動せず、その結果、中段引き出し収納部１４が、押出し機構３０により前方に押されて飛び出ることはない。
【００３１】
また、ユーザＭが、コンロキャビネット４のコンロ８の前方やその隣の一方の調理台キャビネット５の調理台の前方で作業をすることも比較的多いので、本実施例では、一方の調理台キャビネット５の調理台の下方に、中段引き出し収納部１０が配置されている。
その結果、ユーザＭが意図しないときに、中段引き出し収納部１０の引き出し前板３５に膝が接触して中段引き出し収納部１０が若干後方に押し込まれても押出し機構３０が作動することはなく、この中段引き出し収納部１０が押出し機構３０により前方に押されて飛び出てしまう恐れはない。
【００３２】
中段引き出し収納部１４，１０は、上述のように、周囲より後方にシフトして配置されているので、他の引き出し収納部９，１１，１５，１８，１９，２１と比較して、製造効率は若干低下し、製造工程は若干増加する。
しかし、中段引き出し収納部１４，１０は、それ自体の設計変更は不要で汎用の引き出し収納部を使用できるので、製造効率の低下を最低限に抑えることができ、また、製造工程の増加を最低限に抑えることができる。
【００３３】
中段引き出し収納部１４，１０と他の引き出し収納部９，１１，１５，１８，１９，２０，２１は、内方に収納空間が形成された引き出し本体と、引き出し本体の前方に取付けられた引き出し前板３５とを有している。
各引き出し収納部の左右に配置されているケーシング２９，３１，３２，３４には、左右一対の受けレールが取付けられている。一対の受けレールは、前後方向を向いて、ほぼ水平に且つ平行に配置されている。受けレールには、スライド部材が前後方向にスライド自在に係合している。
一対のスライド部材は、引き出し収納部の引き出し本体の左右両側に取付けられている。引き出し収納部は、一対の受けレールとスライド部材を介して、キャビネット２に対して前後方向に自在に移動する。
【００３４】
中段引き出し収納部１４，１０については、シンクキャビネット６に設けられた中段引き出し収納部１４を例にとって説明する。中段引き出し収納部１４は、内方に収納空間が形成された引き出し本体４１と、引き出し本体４１の前方に取付けられ、上部に把手３６を有する引き出し前板３５とを有している。
中段引き出し収納部１４の左右に配置されているケーシング３２には、左右一対の受けレール４２が取付けられている。一対の受けレール４２は、前後方向を向いて、ほぼ水平に且つ平行に配置されている。受けレール４２には、スライド部材が前後方向にスライド自在に係合している。
一対のスライド部材は、引き出し本体４１の左右両側に取付けられている。中段引き出し収納部１４は、一対の受けレール４２とスライド部材を介して、キャビネット２に対して前後方向に自在に移動する。
【００３５】
押出し機構３０は、各引き出し収納部の背面側に設けられている。押出し機構３０は、キャビネット２の背面側に設けられた背面板４３に取付けられている。たとえば、ユーザＭが、中段引き出し収納部１４の引き出し前板３５の前面３８または把手３６を押すと、中段引き出し収納部１４は所定の収納位置Ｐ1より後方に押し込まれ、引き出し本体４１が押出し機構３０に接触する。
その結果、押出し機構３０が作動して、押出し機構３０は、中段引き出し収納部１４を所定の収納位置Ｐ1より前方に押出す。
【００３６】
図６は、本実施例の変形例にかかるシステムキッチン１の部分側面図で、図４相当図である。
前記実施例では、中段引き出し収納部１４，１０の引き出し前板３５の前面３８と、引き出し前板３５に取り付けられた把手３６の最前面３７を、符号Ｐ1の位置でほぼ揃うようにしているが、図６に示すシステムキッチン１のように、中段引き出し収納部１４，１０の引き出し前板３５の把手３６の最前面３７を、引き出し前板３５の前面３８より前方に位置する構造にしても構わない。
その場合の中段引き出し収納部１４，１０は、引き出し前板３５の前面３８の位置Ｐ1が、シンク幕板部１６または上段引き出し収納部９の最前面の位置Ｐ2より所定寸法ｄだけ後方にシフトしていればよい。
そして、中段引き出し収納部１４，１０の把手３６の最前面３７は、シンク幕板部１６または上段引き出し収納部９の最前面の位置Ｐ2より所定寸法ｄ以下の寸法での後方へのシフトであってもよいが、把手３６の最前面３７の位置は、シンク幕板部１６または上段引き出し収納部９の最前面の位置Ｐ2とほぼ同一平面上（図６に示す状態）にあっても構わない。
これらの場合は、中段引き出し収納部１４，１０の把手３６は引き出し前板３５の上端に取り付けられているので、ユーザーＭが把手３６の最前面３７に接触したとしても、押し出し機構３０を作動させるほど中段引き出し収納部１４，１０を後方に押し込む恐れはなく、前記実施例と同じ作用効果を奏する。
【００３７】
以上、本発明の実施例（変形例を含む。以下同じ）を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００３８】
本発明にかかるキャビネットは、台所に設置される複合厨房家具の一種であるシステムキッチンやセクショナルキッチンの他に、台所の流し台などの厨房家具に適用可能である。
【符号の説明】
【００３９】
１    システムキッチン（キッチン）
２    キャビネット
６    シンクキャビネット（キャビネット）
１０  中段引き出し収納部
１３  シンク
１５  下段引き出し収納部
１６  シンク幕板部
３０  押出し機構
３５  引き出し前板
３７  把手の最前面
３８  引き出し前板の前面
ｄ    所定寸法
Ｐ1   引き出し前板の前面の位置（所定の収納位置）
Ｐ2   シンク幕板部の最前面の位置
【図１】
0005574640.tif 000002
【図２】
0005574640.tif 000003
【図３】
0005574640.tif 000004
【図４】
0005574640.tif 000005
【図５】
0005574640.tif 000006
【図６】
0005574640.tif 000007
【図７】
0005574640.tif 000008
【図８】
0005574640.tif 000009
【図９】
0005574640.tif 000010